(57)【要約】【課題】親指が届きにくい領域にある操作用のオブジェクトを操作するために、携帯電話機を持ち変えるといった煩雑な動作を行わなければならない。【解決手段】携帯電子機器は、複数のオブジェクトを含む画面を表示する表示部と、前記表示部を覆うように設けられ、ユーザによる入力を受け付ける入力部と、前記複数のオブジェクトが表示されている場合においてユーザによる入力を受けたときに、入力された位置が特定の領域にあるか否かを判断する位置判断部と、前記位置判断部により入力された位置が特定の領域にあると判断された場合に、ユーザによる入力を受け付けてから第１の時間が経過したか否かを判断する時間判断部と、第１の時間が経過したと判断された場合には、前記複数のオブジェクトのうち、第１のオブジェクトを前記入力された位置に表示する表示制御部とを有する。【選択図】  図２
2014215838.tif 000002
【特許請求の範囲】
【請求項１】
複数のオブジェクトを含む画面を表示する表示部と、
前記表示部を覆うように設けられ、ユーザからの入力を受け付ける入力部と、
前記複数のオブジェクトが表示されている場合においてユーザによる入力を受けたときに、入力された位置が特定の領域にあるか否かを判断する位置判断部と、
前記位置判断部により入力された位置が特定の領域にあると判断された場合に、ユーザによる入力を受け付けてから第１の時間が経過したか否かを判断する時間判断部と、
前記時間判断部により第１の時間が経過したと判断された場合は、前記表示部に表示されている前記複数のオブジェクトのうち、第１のオブジェクトを前記入力された位置に表示する表示制御部と、
を有する携帯電子機器。
【請求項２】
前記時間判断部は、更に、前記入力された位置にオブジェクトが表示された場合に、オブジェクトが表示されてから第２の時間が経過したか否かを判断し、
前記表示制御部は、更に、前記時間判断部により第２の時間が経過したと判断された場合は、前記表示部に表示されている前記複数のオブジェクトのうち、第１のオブジェクトとは異なる第２のオブジェクトを前記入力された位置に表示すること、
を特徴とする請求項１に記載の携帯電子機器。
【請求項３】
複数のオブジェクトを、優先順位を決めて記憶する記憶部を更に備え、
前記表示制御部は、第１の時間が経過した場合は、優先順位が最も高いオブジェクトを表示し、第２の時間が経過した場合は、前記入力された位置に表示されているオブジェクトに定められた優先順位の次の優先順位を有するオブジェクトを前記入力された位置に表示すること、
を特徴とする請求項２に記載の携帯電子機器。
【請求項４】
前記特定の領域とは、前記複数のオブジェクトのうち、少なくとも一つのオブジェクトが表示されている領域であること、
を特徴とする請求項１乃至請求項３に記載の携帯電子機器。
【発明の詳細な説明】
【技術分野】
【０００１】
本発明は、携帯電話機、ＰＤＡ（Personal Digital Assistant）、タブレットＰＣ（Tablet PC）および電子書籍端末等の携帯端末装置に関する。
【背景技術】
【０００２】
従来、筐体の正面側にディスプレイが配置された携帯電話機が知られている（たとえば、特許文献１参照）。かかる携帯電話機では、たとえば、略長方形の輪郭を有する筺体の正面側に、筺体より僅かに小さい略長方形のディスプレイが配置される。さらに、このディスプレイに重なるようにタッチパネルが配置され、ディスプレイに対するユーザのタッチ操作に基づいて、各種アプリケーションプログラム（以下、単に「アプリケーション」と称する。）が実行される。
【先行技術文献】
【特許文献】
【０００３】
【特許文献１】特開２０１２−２０３８９５号公報
【発明の概要】
【発明が解決しようとする課題】
【０００４】
図１２は、ユーザが携帯電話機を操作する様子を示している。図１２に示すように、携帯電話機のやや下側を片手で持ち、親指でディスプレイ、即ちディスプレイに配されたタッチパネルに対する操作を行う、というユーザが増えている。近年、携帯電話機のディスプレイは大型化してきており、上記のように親指で操作が行われる場合、図１２に一点鎖線で示すような、ディスプレイの上部から親指のつけ根とは反対側の側部にかけての領域には、親指が届きにくい。ユーザは、このように親指が届きにくい領域にある操作用のオブジェクト（アイコン、ソフトキー等）を操作するために、携帯電話機を持ち変えるといった煩雑な動作を行わなければならない。
【０００５】
上記課題に鑑み、本発明は、ユーザが円滑な操作を行うことが可能な携帯端末装置を提供することを目的とする。
【課題を解決するための手段】
【０００６】
上記課題を解決するために、本発明に係る携帯電子機器は、複数のオブジェクトを含む画面を表示する表示部と、前記表示部を覆うように設けられ、ユーザによる入力を受け付けるタッチパネルと、前記複数のオブジェクトが表示されている場合においてユーザによる入力を受けたときに、入力された位置が特定の領域にあるか否かを判断する位置判断部と、前記位置判断部により入力された位置が特定の領域にあると判断された場合に、ユーザによる入力を受け付けてから第１の時間が経過したか否かを判断する時間判断部と、前記時間判断部により第１の時間が経過したと判断された場合に、前記表示部に表示されている前記複数のオブジェクトのうち、第１のオブジェクトを前記入力された位置に表示する表示制御部と、を有する。
【発明の効果】
【０００７】
本発明によれば、ユーザが円滑な操作を行うことが可能な携帯端末装置、画面制御方法およびプログラムを提供することができる。
【０００８】
本発明の効果ないし意義は、以下に示す実施形態の説明によりさらに明らかとなろう。ただし、以下の実施形態は、あくまでも、本発明を実施化する際の一つの例示であって、
本発明は、以下の実施形態に記載されたものに何ら制限されるものではない。
【図面の簡単な説明】
【０００９】
【図１】携帯電話機１００の外観斜視図である。
【図２】携帯電話機１００の構成図である。
【図３】記憶部１１０に記憶されるテーブルの一例を示す図である。
【図４】特定の領域を説明するための図である。
【図５】携帯電話機１００にて行われる処理を説明するためのフローチャートである。
【図６】表示部１１２に表示される画面の一例を示す図である。
【図７】表示部１１２に表示される画面の一例を示す図である。
【図８】表示部１１２に表示される画面の一例を示す図である。
【図９】表示部１１２に表示される画面の一例を示す図である。
【図１０】表示部１１２に表示される画面の一例を示す図である。
【図１１】表示部１１２に表示される画面の一例を示す図である。
【図１２】ユーザが携帯電話機を操作する様子を示す図である。
【発明を実施するための形態】
【００１０】
以下、本発明に係る携帯電子機器の実施の形態の一つとして、携帯電話機１００を用いて説明する。本実施例では携帯電話機を用いて説明するが、本実施例の記載の内容は、携帯電話機以外の端末装置、例えばＰＤＡ、タッチパネルを有するＰＣ（personal computer）等にも適用できる。
【００１１】
図１は、携帯電話機１００の外観斜視図である。筐体１０１には、タッチパネル１０２、スピーカ１０３、マイク１０４、及び操作部１０５が設けられている。タッチパネル１０２には、ユーザからの指示に基づいて、カーソルキーやテンキー等のキー群やアイコン等が表示される。
【００１２】
図２は、携帯電話機１００の構成図である。携帯電話機１００は、タッチパネル１０２、スピーカ１０３、マイク１０４、操作部１０５、無線部１０７、信号処理部１０８、計測部１０９、記憶部１１０、及び制御部１１１を含んで構成される。
【００１３】
無線部１０７は、アンテナ１０６を介して送受信する信号の変復調を行う。また無線部１０７は、アンテナ１０６を介して、他の携帯電話機から送信された通話要求を受信することができる。無線部１０７は、他の携帯電話機に通話要求を送信することができる。無線部１０７は、受信した通話要求を制御部１１１に出力する。また無線部１０７は、他の携帯電話機から送信された電子メール等のデータを受信し、制御部１１１へ出力することができる。
【００１４】
信号処理部１０８は、マイク１０４から入力される音声信号を無線部１０７を介して送信するための処理や、アンテナ１０６から無線部１０７を介して受信した音声信号をスピーカ１０３へ出力するための処理を行う。
【００１５】
マイク１０４は、入力された音声を音声信号として信号処理部１０８へ出力する。
【００１６】
スピーカ１０３は、信号処理部１０８にて処理された音声信号又は制御部１１１より受け取った音声データを音声として出力する。
【００１７】
計測部１０９は、制御部１１１からの指示に基づいて、時間を計測することができる。計測した時間は、制御部１１１に出力される。
【００１８】
操作部１０５は、ユーザによる操作を受け付けることができる。操作部１０５は受け付けた操作を制御部１１１に出力する。操作部１０５は、ハードキー等により構成される。
【００１９】
タッチパネル１０２は表示部１１２及び入力部１１３を有する。
【００２０】
表示部１１２は、ＬＣＤ（Ｌｉｑｕｉｄ  Ｃｒｙｓｔａｌ  Ｄｉｓｐｌａｙ）を含み、制御部１１１からの指示に基づいて、文字やアイコン等の画像をＬＣＤに表示する機能を有している。
【００２１】
入力部１１３は、ユーザによるタッチを検出し、検出している間、単位時間（例えば１／６０秒）毎に、タッチしている位置の座標値を、制御部１１１及び記憶部１１０に出力する。尚、本実施例において、タッチとは、ユーザが指等で入力部１１３を触ることであり、デタッチとは、ユーザが指で入力部１１３を触れている場合に、触れている指を入力部１１３から離すことであり、スライドとは、ユーザが指で入力部１１３に触れている場合に、触れているユーザの指が接触を維持しながら移動することである。入力部１１３は、座標値を検出するとタッチされたと判断する。入力部１１３が、検出している座標値が検出されなくなったらデタッチと判断する。入力部１１３は、検出している座標値が時間と共に変化している場合は、スライドと判断する。尚、入力部１１３に触れるのは、ユーザの指だけに限らない。ユーザの指以外のペン等でもよい。入力部１１３は、一般的なタッチパネル１０２で用いられている抵抗膜方式、光学式、静電容量結合式等の何れの方法で実現するものであってもよい。また、入力部１１３は、ユーザによるタッチを同時に複数検出してもよい。入力部１１３は、ユーザによるタッチを一つ検出している場合において、ユーザによる新たなタッチを検出してもよい。入力部１１３は、既にタッチされている位置の座標値と、新たにタッチされた位置の座標値とを制御部１１１に出力してもよい。
【００２２】
尚、本実施例では、タッチパネル１０２は表示部１１２と入力部１１３とを含むことで記載したが、タッチパネルは入力部１１３のみを含み、表示部１１２はタッチパネル１０２に含まれないようにしてもよい。つまり、タッチパネル１０２と表示部１１２は、個々のデバイスから構成されてもよい。
【００２３】
記憶部１１０は、ＲＯＭ、ＲＡＭ、ＥＥＰＲＯＭ、不揮発性ＲＡＭ、フラッシュメモリ、ＨＤＤ等で構成され、制御部１１１で処理されるプログラム等を記憶する。
【００２４】
また、記憶部１１０は、ユーザによるタッチを検出している間、各入力部１１３から出力される座標値を単位時間（例えば１／６０秒）毎に記憶する機能を有する。つまり、記憶部１１０は、タッチ状態からデタッチ状態までの間に出力された座標値を記憶する。また、記憶部１１０は、少なくとも１つ以上の携帯電話番号を記憶することができる。
【００２５】
また、記憶部１１０は、図３に示されるように、表示部１１２に表示されるアイコンとアプリケーションとを関連付けて記憶できる。また、表示部１１２に表示されるアイコンに優先順位を付けて記憶することができる。図３は、優先順位、アイコン、アプリケーションとの関係を示すテーブル３００を説明するための図である。点線で囲まれた列３０１には優先順位に関する情報が記憶されている。点線で囲まれた列３０２にはアイコンに関する情報が記憶されている。点線で囲まれた列３０３にはアプリケーションに関する情報が記憶されている。優先順位は、数字が小さいほど優先順位が高いことを示している。例えばアイコンＡは、メールのアプリケーションが関連付けられており、優先順位として「１」が付与されており、アイコンＢには、ナビのアプリケーションが関連付けられており、優先順位として「２」が付与されている。この場合に、アイコンＡはアイコンＢよりも優先順位が高いことを示している。図３に示すテーブル３００は、表示部１１２に表示される画面ごとに保有してもよい。例えば、テーブル３００は、表示部１１２に表示されているアイコンＡ乃至アイコンＦに関するテーブルであるが、ユーザが例えば右に画面をスライドさせると、アイコンＧ乃至アイコンＬを含む画面が表示されることが想定される。この場合には、図３に示されたテーブルとは別に、アイコンＧ乃至アイコンＬに関して、図３と同様のテーブルを有してもよい。つまり、画面毎にテーブルを保有してもよい。
【００２６】
また、優先順位は、配列されたアイコンにおいて、画面の上部に進むにつれて優先順位を高くし、画面の下部に進むにつれて、優先順位を低くしてもよい。これは、ユーザの指が届きにくい範囲にあるアイコンの優先順位を高くするにつれて、携帯電話機を持ち変えるといった煩雑な動作をすることなく、速やかにユーザの指が届きにくい範囲にあるアイコンを選択することができる。
【００２７】
また、記憶部１１０は、後述する値「ｉ」を記憶する。この値「ｉ」は、後述する制御部１１１により値が制御される。
【００２８】
制御部１１１は、位置判断部１１４、時間判断部１１５、表示制御部１１６、機能実行部１１７、及び順位制御部１１８を含む。携帯電話機１００の全体動作の制御をできる。制御部１１１は、例えばＣＰＵ（Central Processing Unit）などの処理手段を有する。
制御部１１１は、複数のＣＰＵを含み、位置判断部１１４、時間判断部１１５、表示制御部１１６、機能実行部１１７、及び順位制御部１１８の夫々の機能を、個々のＣＰＵに割り当てることでこれらの機能を実行してもよい。また、制御部１１１は、単一のＣＰＵのみを含み、一つのＣＰＵが位置判断部１１４、時間判断部１１５、表示制御部１１６。機能実行部１１７、及び順位制御部１１８の機能を実行してもよい。上記に関わらず、制御部１１１は、複数のＣＰＵを含んでもよいし、単一のＣＰＵにのみで構成されてもよい。
【００２９】
また、記憶部１１０は、位置判断部１１４、時間判断部１１５、表示制御部１１６、機能実行部１１７、及び順位制御部１１８に関する機能をプログラムとして記憶し、制御部１１１は、必要に応じて記憶部１１０からプログラムを取得し、実行することで、位置判断部１１４等の機能を実行してもよい。この場合には、図２に示される制御部１１８は、記憶部１１０からプログラムを取得し、実行した後の制御部１１８を表している。
【００３０】
位置判断部１１４は、入力部１１３により検出されたユーザによるタッチ位置が、特定の領域の中に位置するか否かを判断できる。位置判断部１１４は、判断した結果を時間判断部１１５に出力できる。また、位置判断部１４は、入力部１１３によりデタッチが検出された場合には、その結果を機能実行部１１７に出力できる。
【００３１】
図４は、特定の領域を説明するための図である。例えば図４の（１）（２）に示される様に、斜線で囲まれた領域を特定の領域としてもよい。図４の（１）では、アイコンＦ４０６が表示された領域を特定の領域４１０としている。アイコンＦ４０６が表示された領域を特定の領域４１０とすることにより、ユーザは、指の届く近いアイコンをタッチすることで、後述する図５の処理を実行させることができる。図４の（２）では、表示部１１２が有する表示領域の一部を特定の領域としている。具体的には、表示部１１２が有する表示領域のうち、下方の領域を特定の領域４１１としている。これにより、ユーザは、表示部１１２の表示領域のうち、指の届く範囲の領域をタッチすることで、後述する図５の処理を実行させることができる。また、図４の（１）と（２）に示された領域の両方を特定の領域としてもよい。また、図４の（１）において、特定の領域４１０は、アイコンＦ４０６の領域として説明したが、アイコンＦ４０６が表示されている領域のみを特定の領域とするのではなく、アイコンが表示された領域の複数に対して、特定の領域を設定してもよい。例えば、アイコンＥ４０５、アイコンＦ４０６、アイコンＤ４０4が表示された領域を特定の領域としてもよい。
【００３２】
これらにより、ユーザは、携帯電話機を持ち変えるといった煩雑な動作を行うことなく図５の動作を実行させることができるので、指の届く範囲に無いアイコンを選択できる。尚、図４は一例を示すものであり、本実施例の有する効果を得られるのであれば、表示部１１２の表示領域の任意の場所を特定の領域として設定してもよい。
【００３３】
時間判断部１１５は、計測部１０９に時間の計測の開始を指示できる。また、時間判断部１１５は、計測部１０９により計測された時間が所定の時間に到達したか否かを判断することができる。また、時間判断部１１５は、計測部１０９に時間の計測の開始を指示した後は、計測の中止を指示し、計測した時間をリセットさせることができる。例えば、時間判断部１１５は、計測部１１９により計測された時間が第１の時間に到達した場合は、計測された時間を一度リセットさせ、計測部１１９に最初から時間の計測を開始させてもよい。時間判断部１１５は、計測部１０９により計測された時間が第１の時間に到達した場合は、第１の時間に到達したことを表示制御部１１５及び順位制御部１１８に出力できる。また、時間判断部１１５は、計測部１０９により計測された時間が第２の時間に到達した場合は、第２の時間に到達したことを表示制御部１１６、及び順位制御部１１８に出力できる。
【００３４】
表示制御部１１６は、表示部１１２に表示する画面を制御できる。表示制御部１１６は、図４等に示されるように、表示部１１２に複数のアイコンを表示させることができる。また、表示制御部１１６は、時間判断部１１５からの出力に基づき、ユーザのタッチ位置にアイコンを表示させることができる。具体的には、記憶部１１０に記憶された値「ｉ」に基づいて、優先順位が値「ｉ」であるアイコンをユーザのタッチ位置に表示することができる。例えば、値「ｉ」が「４」の場合には、表示制御部１１６は、優先順位が４に設定されたアイコンＤをユーザのタッチ位置に表示できる。
【００３５】
機能実行部１１７は、記憶部１１０に記憶されたアプリケーションを実行することができる。機能実行部１１７は、入力部１１３によりデタッチが検出された場合において、デタッチが検出される前のタッチ位置がアイコンの表示領域内にあるときは、そのアイコンに関連付けたアプリケーションを実行することができる。例えば、図６の（２）において、ユーザのタッチ位置がアイコンＡ６０２が表示された領域内にある場合において、入力部１１３によりデタッチが検出されたときは、機能実行部１１７は、図３のテーブルに基づき、アイコンＡに関連付けられたアプリケーションを実行できる。
【００３６】
順位制御部１１８は、時間判断部１１５から取得した結果に基づき、記憶部１１０に記憶された値「ｉ」の値を制御することができる。具体的には、順位制御部１１８は、値「ｉ」の初期値として「０」を設定する。そして、順位制御部１１８は、時間Ｔが時間ｔ１を超えた場合には、値「ｉ」に「１」を設定する。次に順位制御部１１８は、時間Ｔが時間ｔ２を超える度に、値「ｉ」に対して「１」を加算する。順位制御部１１８は、値「ｉ」に「１」を加算した後に、「１」を加算した後の「ｉ」が、図３に示される優先順位の最大値を超えたか否かを判断する。図３を例にすると、「１」を加算した後の「ｉ」が、優先順位の最大値である「６」を超えたか否かを判断する。順位制御部１１８は、「１」を加算した後の「ｉ」が優先順位の最大値を超えたと判断した場合は、値「ｉ」を最も優先順位の高い値（図３を例にすれば「１」）に設定する。こうすることで、携帯電話機１００は、タッチ位置に表示させるアイコンを、時間ｔ２が経過する度に、優先順位に基づいて変更することが可能となる。尚、順位制御部１１８は、値「ｉ」に「１」を加算した後に、「１」を加算した後の「ｉ」が、図３に示される優先順位の最大値を超えたか否かを判断することで記載したが、この場合に限られない。例えば、順位制御部１１８は、値「ｉ」に「１」を加算した後に、「１」を加算した後の「ｉ」が、表示部１１２に表示されているアイコンの数を超えたか否かを判断することとしてもよい。例えば、図６においては、表示部１１２に表示されているアイコンの数は６である。そのため、順位制御部１１８は、値「ｉ」が「６」を超えたか否かを判断することとしてもよい。
【００３７】
図５は、携帯電話機１００の動作を示した図である。次に、図５を用いて、携帯電話機１００が行う動作を説明する。尚、図５において、表示部１１２は、図６の（１）のようにアイコンを表示し、特定の領域は、点線囲で囲まれた領域４１１であるとする。
【００３８】
入力部１１３は、表示部１１２に対するユーザによるタッチの有無を検出する（Ｓ１）。入力部１１３は、ユーザによるタッチを検出すると（Ｓ１のＹＥＳ）、その結果を位置判断部１１４に出力する。
【００３９】
位置判断部１１４は、入力部１１３により検出されたユーザによるタッチの位置（以後、ユーザのタッチ位置と称する場合がある）が特定の領域４１１に含まれているか否かを判断する（Ｓ２）。例えば図６の（１）に示されるように、ユーザの指６０１によるタッチの位置が特定の領域内にある場合は（Ｓ３）、その結果を時間判断部１１５に出力する。
【００４０】
時間判断部１１５は、位置判断部１１４によりユーザのタッチ位置が特定の領域内にあると判断されると、計測部１０９に時間の計測を開始させる（Ｓ３）。時間判断部１１５は、計測部１０９により計測された時間Ｔが、第１の時間ｔ１を超えたか否かを判断する（Ｓ４）。時間Ｔが時間ｔ１を超えていない場合には（Ｓ４のＮｏ）、最初の処理Ｓ１に戻る。
【００４１】
時間判断部１１５は、計測部１０９に時間の計測を開始させた後に、位置判断部１１４によりタッチ位置が特定の領域４１１内に無いと判断されたときは（Ｓ２のＮｏ）、計測部１０９による時間の計測を終了させ、時間Ｔの値をリセットさせる（Ｓ１１）。タッチ位置が特定の領域４１１内に無いとは、入力部１１３がデタッチを検出した場合、又はユーザのタッチ位置がスライドすることで、ユーザのタッチ位置が特定の領域４１１の外に移動した場合等がある。
【００４２】
時間判断部１１５は、計測部１０９により計測された時間Ｔが第１の時間ｔ１を超えた場合には（Ｓ４のＹＥＳ）、その結果を表示制御部１１６及び順位制御部１１８に出力する。
【００４３】
順位制御部１１８は、計測部により計測された時間Ｔが時間ｔ１を超えた場合は、記憶部に記憶された値「ｉ」に「１」を代入する。順位制御部１１８は、「１」を代入する（Ｓ５）。時間判断部１１５は、計測部１０９により計測された時間Ｔをリセットし、計測部１０９に時間Ｔの計測を改めて実行させる（Ｓ６）。
【００４４】
表示制御部１１６は、記憶部１１０に記憶された値「ｉ」の値を取得し、記憶部１１０に記憶されたテーブルを参照することにより、優先順位が値「ｉ」であるアイコンを選択する（Ｓ７）。表示制御部１１６は、アイコンを選択した後は、選択したアイコンをユーザのタッチ位置に表示する（Ｓ８）。例えば、図６の（２）に示されるように、値「ｉ」がＳ５を経由した場合には、値「ｉ」は「１」のため、アイコンＡ６０２がタッチ位置に表示される。値「ｉ」に「１」が設定されている場合に、後述するＳ１３を経由すると、値「ｉ」に「１」が加算され、「２」となる。そのため、図６の（２）に示されるように、表示制御部１１６は、ユーザのタッチ位置にアイコンＢ６０３を表示する。Ｓ１３を経由する度に「１」が加算されるため、タッチ位置には、アイコンＡ→アイコンＢ→アイコンＣ→アイコンＤ→アイコンＥ→アイコンＦ→アイコンＡ→…の順番にアイコンがタッチ位置に表示される。
【００４５】
タッチ位置にアイコンが表示された後は、入力部１１３によりデタッチが検出されたか否かを判断する（Ｓ９）。入力部１１３によりデタッチが検出された場合は（Ｓ９のＹＥＳ）、機能実行部１１７は、タッチ位置に表示されていたアイコンに対応づけられたアプリケーションを実行する（Ｓ１０）。例えば、図６の（２）において、タッチ位置にアイコンＡ６０２が表示されている場合において、入力部１１３がデタッチを検出する（ユーザの指６０１がタッチパネルから離れる）と、機能実行部１１７は、アイコンＡ６０１に対応するメールアプリケーションを実行する。図６の（３）においては、機能実行部１１７は、アイコンＢ６０３に対応するナビアプリケーションを実行する。
【００４６】
入力部１１３によりデタッチが検出されていない場合は、時間測定部１１５は、時間Ｔが第２の時間ｔ２を超えたか否かを判断する（Ｓ１２）。時間Ｔが時間ｔ２を超えていない場合には、Ｓ７の処理に戻る。
【００４７】
順位制御部１１８は、時間Ｔが第２の時間ｔ２を超えている場合は、値「ｉ」に「１」を加算する（Ｓ１３）。順位制御部１１８は、値「ｉ」に「１」を加算した後に、加算後の値「ｉ」が優先順位の最大値を超えたか否かを判断する（Ｓ１４）。値「ｉ」が優先順位の最大値を超えている場合は（Ｓ１４のＹＥＳ）、Ｓ７に遷移する。順位制御部１１８は、値「ｉ」に「１」を代入する（Ｓ７）。加算後の値「ｉ」が優先順位の最大値を超えていないと順位制御部１１８により判断された場合は（Ｓ１４のＮＯ）、Ｓ６に遷移する。Ｓ６において、時間判断部１１５は、計測部１０９による計測をリセットすることにより初期値に設定し、計測部に計測を開始させる（Ｓ６）。
【００４８】
以上の処理により、携帯電話機１００は、ユーザによるタッチの位置が特定の領域４１１内にある場合において所定時間が経過すると、表示部１１２に表示されているアイコンを、優先順位に基づいてタッチ位置に順番に表示することができる。これにより、ユーザは、携帯電話機を持ち変えるといった煩雑な動作を行うことなく、表示部１１２に表示されたアイコンの一つを選択することができる。
【００４９】
〔その他の実施形態〕
図６に示されるように、本実施例では、ユーザのタッチ位置にアイコンを表示し、時間の経過に伴って表示されるアイコンを変更することを記載したが、この様態に限られない。例えば、図４の（１）に示されているように、特定の領域がアイコンの表示領域に設定されている場合において、特定の領域が設定されたアイコンをタッチした場合には、タッチ位置に表示されたアイコンを優先順位に応じて変更することとしてもよい。
【００５０】
図７乃至図９を用いて上述の動作を説明する。図７乃至図９は、特定の領域がアイコンの表示領域に設定されている場合において、タッチ位置を検出した位置にあるアイコンの表示を切り替える様態を説明した図である。
【００５１】
図７において、特定の領域４１０はアイコンＦ４０６が表示された領域に設定されている。図７の（１）において、ユーザによりアイコンＦ４０６がタッチされた場合において、時間Ｔが時間ｔ１を超えた場合には、図７の（２）に示されるように、優先順位が「１」であるアイコンＡ４０１とアイコンＦ４０６の配置を入れ換えても良い。次に、優先順位が「１」であるアイコンＡ４０１が表示されている場合において、時間Ｔが時間ｔ２を超えた場合には、図７の（３）に示されるように、優先順位が「２」であるアイコンＢ４０２とアイコンＡ４０１とを入れ換えてもよい。
【００５２】
図８において、特定の領域４１０はアイコンＦ４０６が表示された領域に設定されている。図８の（１）において、ユーザによりアイコンＦ４０６がタッチされた場合において
、時間Ｔが時間ｔ１を超えた場合には、図８の（２）に示されるように、優先順位が「１」であるアイコンＡ４０１とアイコンＦ４０６の配置を入れ換えても良い。次に、優先順位が「１」であるアイコンＡ４０１が表示されている場合において、時間Ｔが時間ｔ２を超えた場合には、図８の（３）に示されるように、図８の（２）に表示されているアイコンＡ４０１を図８の（１）に表示されたアイコンＡ４０１の位置に戻し、そして、アイコンＢ４０２とアイコンＦ４０6の配置を入れ換えてもよい。
【００５３】
図９において、特定の領域４１０はアイコンＦ４０６が表示された領域に設定されている。図９の（１）において、ユーザによりアイコンＦ４０６がタッチされた場合において、時間Ｔが時間ｔ１を超えた場合には、図９の（２）に示されるように、優先順位が「１」であるアイコンＡ４０１と同じ画像であるアイコンＡ９０１をアイコンＦ４０６と置き換えてもよい。次に、優先順位が「１」であるアイコンＡ９０１が表示されている場合において、時間Ｔが第２の時間ｔ２を超えた場合には、図９の（３）に示されるように、図９（２）に表示されているアイコンＡ９０１に代えて、アイコンＢ９０２を表示させてもよい。図９の場合、アイコンＦ４０６は、値「ｉ」がアイコンＦ４０６が有する優先順位と等しくなった場合に、アイコンＦ４０６がタッチ位置に表示させることになる。
【００５４】
また、図６において、タッチされた位置にアイコンを表示することで記載したが、必ずしもタッチした位置でなくてもよい。
【００５５】
例えば図１０に示される様に、ユーザによるタッチを特定の領域内で検出した場合において第１の時間が経過すると、図１０の（２）のように、ポップアップ１０００を表示し、その中にアイコンAを表示してもよい。また、図１０の（２）から第２の時間が経過すると、ポップアップ１０００の中に表示されているアイコンを変更してもよい。例えば図１０の（３）に示される様に、第２の時間が経過すると、ポップアップ１０００の中にアイコンBを表示してもよい。ポップアップ等を用いてタッチ位置から少し離れた箇所に表示することで、ユーザの指によりアイコンの画像が隠されることが回避でき、ユーザはタッチ位置に表示されているアイコンが何であるかを速やかに知ることができる。尚、図１０において、ポップアップはアイコンF４０６と重なるように表示されているが、ポップアップはアイコンA４０１乃至アイコンF４０６のいずれいにも重ならないように表示してもよい。
【００５６】
また、図１１のように、ユーザによるタッチを特定の領域内で検出した場合において第１の時間が経過すると、図１１の（２）のように、表示部１１２に表示される背景画像としてアイコンA１１００を表示してもよい。また、図１１の（２）から第２の時間が経過
すると、図１１の（３）に示されるように背景画像としてアイコンB
１１０１を表示部１１２に表示してもよい。背景画像としてアイコンを表示することにより、ユーザの指によりアイコンの画像が隠されることが回避でき、ユーザはタッチ位置に表示されているアイコンが何であるかを速やかに知ることができる。
【００５７】
以上の処理により、携帯電話機１００は、ユーザによるタッチの位置が特定の領域４１１内にある場合において所定時間が経過すると、表示部１１２に表示されているアイコンを、優先順位に基づいてタッチ位置に順番に表示することができる。これにより、ユーザは、携帯電話機を持ち変えるといった煩雑な動作を行うことなく、表示部１１２に表示されたアイコンの一つを選択することができる。
【符号の説明】
【００５８】
１０２  タッチパネル
１０３  スピーカ
１０４  マイク
１０５  操作部
１０６  アンテナ
１０７  無線部
１０８  信号処理部
１０９  計測部
１１０  記憶部
１１１  制御部
１１２  表示部
１１３  入力部
１１４  位置判断部
１１５  時間判断部
１１６  表示制御部
１１７  機能実行部
１１８  順位制御部
【図１】
2014215838.tif 000003
【図２】
2014215838.tif 000004
【図３】
2014215838.tif 000005
【図４】
2014215838.tif 000006
【図５】
2014215838.tif 000007
【図６】
2014215838.tif 000008
【図７】
2014215838.tif 000009
【図８】
2014215838.tif 000010
【図９】
2014215838.tif 000011
【図１０】
2014215838.tif 000012
【図１１】
2014215838.tif 000013
【図１２】
2014215838.tif 000014